(57)【要約】  【課題】  原稿を裏返すことなく原稿の両面を読み取ることが可能な画像読取装置を提供する。  【解決手段】  読取部は、光源３３からの入射角が異なる２つの入射光による原稿３２ａからの第１光路Ｌ１の反射光および第２光路Ｌ２の反射光をそれぞれ、第１ミラー３４及び第３ミラー３７により反射させて第１ＣＣＤラインセンサ２３ａによって取得し、また、第２ミラー３５及び第３ミラー３７により反射させて第２ＣＣＤラインセンサ２３ｂによって取得する。原稿３２ａの照射面とは逆の面（上面）からの第２反射光Ｌ１ｂは、原稿３２ａの照射面（下面）からの第１反射光Ｌ１ａに対して原稿の厚みに応じた分のずれを有して取得される。このずれが、異なる入射角の入射光による原稿３２ａからの反射光間において相違することに基づいて、原稿３２ａの一方の面への光源３３からの照射による反射光によって原稿３２ａの両面の画像に対応する画像データを生成する。【選択図】      図３
2005278064.tif 000002
【特許請求の範囲】
【請求項１】
原稿を照射する光源による前記原稿からの反射光に基づいて画像を読み取る画像読取装置において、
前記光源からの入射角が異なる複数の入射光による前記原稿からの複数の反射光を取得する取得手段と、
該取得手段で取得した複数の反射光に基づいて、前記原稿の光源からの照射面とは逆の面に対応する画像データを生成する生成手段と
を備えることを特徴とする画像読取装置。
【請求項２】
前記取得手段は、前記原稿の光源からの照射面による第１反射光及び前記照射面とは逆の面による第２反射光を含む複数の反射光を取得すべくなしてあり、
前記生成手段は、
前記取得手段で取得した複数の反射光に基づいて、前記第１反射光に基づく画像データ及び前記第２反射光に基づく画像データを含む複数の画像データを生成する手段を備え、
該手段で生成した複数の画像データのそれぞれに含まれる第２反射光に基づく画像データに基づいて、前記原稿の光源からの照射面とは逆の面に対応する画像データを生成すべくなしてあることを特徴とする請求項１に記載の画像読取装置。
【請求項３】
前記取得手段は、前記原稿に垂直な直線に対して対称に入射される入射光による前記原稿からの複数の反射光を取得するように構成してあることを特徴とする請求項１又は２に記載の画像読取装置。
【発明の詳細な説明】
【技術分野】
【０００１】
本発明は、原稿を照射する光源による前記原稿からの反射光に基づいて画像を読み取る画像読取装置に関するものである。
【背景技術】
【０００２】
モノクロ及びカラーの原稿画像を読み取り、読み取った画像を記録媒体に記録する記録装置が普及しており、このような装置における画像読取装置は、載置ガラス等の原稿載置台上に載置された原稿に光を照射する光源と、原稿からの反射光の光路を変更するミラーと、前記光源及びミラーを移動させる移動機構と、光電変換素子を主走査方向に多数並べ、集光レンズを通してミラーからの光が入射されるＣＣＤ(Charge Coupled Device )ラインセンサ等とを備えている。
【０００３】
このような構成の画像読取装置は、主走査方向を長手方向とするＣＣＤラインセンサ（主走査方向と平行に配置されたＣＣＤラインセンサ）により１ラインずつ原稿画像を読み取り、光源等を搭載したキャリッジを前記原稿載置台に沿って副走査方向に移動させことにより原稿全体を読み取るように構成されている。
【０００４】
また、上述した画像読取装置は、所定の載置台にセットされた原稿束から原稿を１枚ずつ分離して取り込むＡＤＦ(Automatic Document Feeder) 機構を備える場合には、一方の面の画像を読み取った後に、原稿を裏返して他方の面の画像を読み取ることにより、原稿の両面の形成画像を効率よく読み取ることが可能となる。
【特許文献１】特開平９−２９８６３２号公報
【発明の開示】
【発明が解決しようとする課題】
【０００５】
しかし、上述したような画像読取装置では、原稿を裏返す機構が必要となるため、装置の構成が複雑となり、装置のメンテナンス処理負担の軽減および製造コストの削減を図ることが困難である。また、原稿の両面に対して読み取り処理をそれぞれ行なうため、画像読取の際に時間を要するという問題がある。
【０００６】
本発明は斯かる事情に鑑みてなされたものであり、原稿を裏返すことなく原稿の両面にそれぞれ形成された画像を読み取ることが可能な画像読取装置を提供することにある。
【課題を解決するための手段】
【０００７】
本発明に係る画像読取装置は、原稿を照射する光源による前記原稿からの反射光に基づいて画像を読み取る画像読取装置において、前記光源からの入射角が異なる複数の入射光による前記原稿からの複数の反射光を取得する取得手段と、該取得手段で取得した複数の反射光に基づいて、前記原稿の光源からの照射面とは逆の面に対応する画像データを生成する生成手段とを備えることを特徴とする。
【０００８】
本発明による場合は、原稿を照射する光源からの入射角が異なる複数の入射光による前記原稿からの複数の反射光を取得手段によって取得し、取得した複数の反射光に基づいて、生成手段によって前記原稿の光源からの照射面とは逆の面に対応する画像データを生成する。よって、原稿を裏返すことなく、一方の面を照射面として入射された異なる入射角の入射光による前記原稿からの反射光に基づいて、前記照射面とは逆の面の画像も読み取ることが可能となる。
【０００９】
本発明に係る画像読取装置は、前記取得手段は、前記原稿の光源からの照射面による第１反射光及び前記照射面とは逆の面による第２反射光を含む複数の反射光を取得すべくなしてあり、前記生成手段は、前記取得手段で取得した複数の反射光に基づいて、前記第１反射光に基づく画像データ及び前記第２反射光に基づく画像データを含む複数の画像データを生成する手段を備え、該手段で生成した複数の画像データのそれぞれに含まれる第２反射光に基づく画像データに基づいて、前記原稿の光源からの照射面とは逆の面に対応する画像データを生成すべくなしてあることを特徴とする。
【００１０】
本発明による場合は、原稿の光源からの照射面による第１反射光及び前記照射面とは逆の面による第２反射光を含む複数の反射光を取得し、取得した複数の反射光に基づいて、前記原稿の光源からの照射面とは逆の面に対応する画像データを生成する。ここで、原稿には厚みがあるため、原稿の前記照射面の逆の面の画像は、前記照射面の画像よりも原稿の厚みだけ離れた位置で読み取られることとなる。従って、前記照射面とは逆の面による第２反射光は、前記照射面による第１反射光に対して、原稿の厚み及び反射光の反射角に応じたずれを有して取得される。また、このようなずれは、入射角が異なる入射光による前記原稿からの複数の反射光間において相違する。従って、複数の反射光間において異なる、第１反射光に基づく画像と、第２反射光に基づく画像との間におけるずれに基づいて、原稿を裏返すことなく、原稿の光源からの照射面とは逆の面の画像も読み取ることが可能となる。
【００１１】
本発明に係る画像読取装置は、前記取得手段は、前記原稿に垂直な直線に対して対称に入射される入射光による前記原稿からの複数の反射光を取得するように構成してあることを特徴とする。
【００１２】
本発明による場合は、原稿に垂直な直線に対して対称に入射される入射光による前記原稿からの複数の反射光を取得することにより、それぞれの反射光に含まれる第１反射光に基づく画像と、第２反射光に基づく画像との間において生じるずれが、取得した複数の反射光間において、異なる方向に同程度となるため、取得した複数の反射光に基づいて生成する、原稿の光源からの照射面とは逆の面に対応する画像データの生成処理を簡略化することが可能となる。
【発明の効果】
【００１３】
本発明では、原稿を照射する光源からの入射角が異なる複数の入射光による前記原稿からの複数の反射光に基づいて前記原稿の光源からの照射面とは逆の面に対応する画像データを生成することにより、原稿を裏返すことなく、前記原稿の光源からの照射面とは逆の面の画像も読み取ることができるため、原稿を裏返す機構が不要となり、製造コストを削減することができると共に、装置のメンテナンス処理における負担を軽減することができる。また、１回の読取動作によって複数の反射光を取得する場合には、画像読取の際の処理時間を短縮することができる。
【００１４】
本発明では、厚みを有する原稿の光源による照射面の逆の面の画像は、前記照射面の画像よりも原稿の厚みだけ離れた位置で読み取られる。従って、前記照射面とは逆の面による第２反射光は、前記照射面による第１反射光に対して原稿の厚みに応じたずれを有して取得される。また、このようなずれは、異なる入射角の入射光による前記原稿からの複数の反射光間において異なることにより、複数の反射光間において異なる、第１反射光に基づく画像と、第２反射光に基づく画像との間におけるずれに基づいて、原稿を裏返すことなく、原稿の光源からの照射面とは逆の面の画像も読み取ることができる。従って、原稿を裏返す機構が不要となり、製造コストを削減することができる。
【００１５】
本発明では、第１反射光に基づく画像と第２反射光に基づく画像との間において生じるずれが、取得した複数の反射光間において異なる方向に同程度となるような複数の反射光を取得することにより、取得した複数の反射光に基づいて生成する画像データの生成処理を簡略化することができ、処理負担を軽減することができる。
【発明を実施するための最良の形態】
【００１６】
以下に、本発明に係る画像読取装置をその実施の形態を示す図面を参照して具体的に説明する。図１は本発明に係る画像読取装置を備える複合機の構成例を示すブロック図である。本実施の形態の複合機１は、制御部１０、ＲＯＭ１１、ＲＡＭ１２、ＮＣＵ(Network Control Unit)１３、モデム１４、操作部１５、表示部１６、画像メモリ１７、記録部１８、外部の装置と通信するための通信インタフェース１９、読取部２等を備えており、夫々はバス１０ａを介して相互に接続されている。
【００１７】
制御部１０は、具体的にはＣＰＵ(Central Processing Unit) 又はＭＰＵ（Micro Processor Unit）で構成されており、バス１０ａを介して接続される上述したようなハードウェア各部を制御すると共に、ＲＯＭ１１に格納された制御プログラムに従って、種々のソフトウェア的機能を実現する。ＲＯＭ１１は、本実施の形態に係る複合機１としての動作に必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００１８】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。
【００１９】
操作部１５は、ユーザが複合機１を操作するために必要なテンキー、短縮ダイヤルキー及び各種のファンクションキー等を備えている。表示部１６は、液晶ディスプレイ（ＬＣＤ）で構成されており、複合機１の動作状況、複合機１として表示すべき表示画面、操作部１５から入力された文字等を表示する。尚、表示部１６をタッチパネル方式のものとすることにより、操作部１５の各種のキーのうちの一部又は全部を代用することも可能である。
【００２０】
読取部２は、例えばＣＣＤ(Charge Coupled Device)を利用したスキャナで原稿を読み取って画像データを取得する。本実施の形態における読取部２は、本発明に係る画像読取装置により構成されており、ＣＣＤラインセンサ（図においてはＣＣＤと省略する）２３、ＡＦＥ（Analog Front End：アナログ・フロント・エンド）２２、Ａ／Ｄ（アナログ／デジタル）変換器２１、画像処理部２０等を備えている。読取部２においては、後述するように、ＣＣＤラインセンサ２３が読取対象の原稿からの反射光をアナログ信号として読み取り、ＡＦＥ２２へ出力する。
【００２１】
ＡＦＥ２２は、増幅回路（図示せず）、サンプルホールド回路（図示せず）等を備え、ＣＣＤラインセンサ２３により読み取られたアナログ信号を、増幅回路により所定の大きさに増幅し、この増幅されたアナログ信号を、サンプルホールド回路により一定のタイミング毎にサンプルホールドし、この各値をＡ／Ｄ変換器２２へ出力する。Ａ／Ｄ変換器２１は、ＡＦＥ２２から取得したアナログ信号をデジタル信号に変換し、画像処理部２０へ出力する。画像処理部２０は、Ａ／Ｄ変換器２１から出力されたデジタル信号に、読取部２に含まれる照明系、結像系及び撮像系で生じた各種の歪みを取り除くシェーディング補正処理、各種の色調整処理等を行なって画像データを生成する。
【００２２】
なお、本実施の形態における読取部２は、後述するように、２つの第１ＣＣＤラインセンサ２３ａおよび第２ＣＣＤラインセンサ２３ｂ（図３参照）によって１回の読取動作で原稿からの異なる２つの反射光を取得しており、画像処理部２０は、第１ＣＣＤラインセンサ２３ａおよび第２ＣＣＤラインセンサ２３ｂのそれぞれが取得した反射光に基づいて、原稿の両面の画像を読み取るように構成されている。また、画像処理部２０によって処理された原稿の両面のそれぞれに対応する画像データは画像メモリ１７に記憶される。
【００２３】
画像メモリ１７は、例えばＤＲＡＭにより構成されており、読取部２によって読み取られた画像データを記憶する。記録部１８は、例えば電子写真方式のプリンタ装置であって、出力すべき画像データをハードコピーとしてＡ３縦，Ｂ４縦，Ａ４縦，Ｂ５横及びＡ５横等の各サイズの記録紙又はＯＨＰ(Over Head Projector) シートから最適なサイズのものを選択して記録する。
【００２４】
図２は本発明に係る読取部２を示す外観斜視図である。この読取部２は、直方体型の筺体３１と、筺体３１上面の一辺に開閉自在に取り付けられたプラテンカバー３０と、筺体３１上面に設けられた長方形型のプラテンガラス３２とを備えている。この読取部２は、ＦＢＳ(Flat Bed Scanner)方式の読み取りが可能であるが、ＡＤＦ(Automatic Document Feeder) 方式を備えて、原稿を自動的に搬送して読み取ることも可能である。
【００２５】
この読取部２において、ＡＤＦ方式で原稿を読み取る場合は、プラテンカバー３０を閉じて、プラテンカバー３０上の図示しない原稿セット部に原稿束をセットし、原稿搬送機構が１枚ずつ原稿を分離して取り込みながら読み取りを行う。一方、ＦＢＳ方式で原稿を読み取る場合は、プラテンカバー３０を開けて原稿をプラテンガラス３２上に載置し、プラテンカバー３０を閉じて、プラテンガラス３２上に原稿が静止した状態で読み取りを行う。
【００２６】
図３は本発明に係る読取部２の筺体３１の内部構成図であり、筺体３１の内部の構成を、図２において矢符Ａで示す方向から見た図を示している。筺体３１の内部には、図３（ａ）に示すように、白色蛍光灯または冷陰極管等からなり、プラテンガラス３２上に載置された原稿３２ａに光を照射する光源３３と、原稿３２ａからの第１光路Ｌ１の反射光を反射させる板状の第１ミラー３４と、原稿３２ａからの第２光路Ｌ２の反射光を反射させる板状の第２ミラー３５と、第１ミラー３４及び第２ミラー３５によって反射された第１光路Ｌ１および第２光路Ｌ２の反射光を更に反射させる第３ミラー３７とを夫々所定の位置で長手方向を主走査方向（図２においてｘで示す方向）に平行に配置してある。
【００２７】
光源３３、第１ミラー３４及び第２ミラー３５は、副走査方向ｙに、プラテンガラス３２の一端部をホームポジションとして、このホームポジションから他端部までの移動が可能なキャリッジ３６に搭載されている。また、図３（ａ）の読取部２において、第３ミラー３７は左側の端部に配置させてある。
【００２８】
筺体３１の内部には、更に、第１ミラー３４及び第３ミラー３７により反射された原稿３２ａからの第１光路Ｌ１の反射光を集光する第１集光レンズ２４ａと、第１集光レンズ２４ａを通して入射される反射光を取得する第１ＣＣＤラインセンサ（取得手段）２３ａとを備えている。また、筺体３１の内部には、第２ミラー３５及び第３ミラー３７により反射された原稿３２ａからの第２光路Ｌ２の反射光を集光する第２集光レンズ２４ｂと、第２集光レンズ２４ｂを通して入射される反射光を取得する第２ＣＣＤラインセンサ（取得手段）２３ｂとを備えている。
【００２９】
このような構成により、読取部２は、主走査方向ｘを長手方向とした第１ＣＣＤラインセンサ２３ａ及び第２ＣＣＤラインセンサ２３ｂにより１ラインずつ原稿画像を読み取り、キャリッジ３６を副走査方向ｙに移動させることにより原稿３２ａ全体を読み取ることができる。
【００３０】
図３（ｂ）は光源３３から原稿３２ａへの光の照射箇所の拡大図であり、本実施の形態における読取部２において、第１ＣＣＤラインセンサ２３ａが取得する第１光路Ｌ１の反射光は、原稿３２ａの光源３３からの照射面（図においては下面）による第１反射光Ｌ１ａと、前記照射面とは逆の面（図においては上面）による第２反射光Ｌ１ｂとを含む。また、第２ＣＣＤラインセンサ２３ｂが取得する第２光路Ｌ２の反射光は、原稿３２ａの下面からの第１反射光Ｌ２ａと、前記原稿３２ａの上面からの第２反射光Ｌ２ｂとを含む。
【００３１】
従って、画像処理部２０は、ＣＣＤラインセンサ２３ａ，２３ｂのそれぞれで取得した原稿３２ａからの反射光に基づいて、原稿３２ａの下面からの第１反射光Ｌ１ａ，Ｌ２ａに基づく画像データと、原稿３２ａの上面からの第２反射光Ｌ１ｂ，Ｌ２ｂに基づく画像データとを含む画像データを生成する。
【００３２】
また、本実施の形態の読取部２においては、原稿３２ａに垂直な直線に対して対称に同程度の角度を有する入射光による原稿３２ａからの反射光を取得する。具体的には、図３（ｂ）に示すように、第１反射光Ｌ１ａ及び第２反射光Ｌ１ｂを含む第１光路Ｌ１の反射光の原稿３２ａからの反射角度θ１が、第２反射光Ｌ２ａ及び第２反射光Ｌ２ｂを含む第２光路Ｌ２の反射光の原稿３２ａからの反射角度θ２と略同一となるように、第１ミラー３４、第２ミラー３５及び第３ミラー３７を配置させてある。
【００３３】
以下に、上述した構成の読取部２によって原稿３２ａから読み取られる画像データについて説明する。図４は本発明に係る読取部２が読み取る画像データを説明するための図である。図４（ａ）には読取部２の読取対象である原稿３２ａに形成されている画像を示す。図４（ａ）に示すように、読取対象の原稿３２ａの表面（図３における下面）には三角形の第１画像４０が形成されており、裏面（図３における上面）には丸形の第２画像４１が形成されている。なお、図４（ａ）にはそれぞれの面に対する裏側の面の形成画像を破線で示している。また、図４中のｘは主走査方向を、ｙは副走査方向をそれぞれ示している。
【００３４】
図４（ｂ）は第１ＣＣＤラインセンサ２３ａにより取得された第１光路Ｌ１の反射光に基づいて、ＡＦＥ２２，Ａ／Ｄ変換器２１及び画像処理部２０によってそれぞれ処理が行なわれて生成された第１画像データを模式的に示している。第１ＣＣＤラインセンサ２３ａが取得する第１光路Ｌ１の反射光には、上述したように、原稿３２ａの表面からの第１反射光Ｌ１ａと裏面からの第２反射光Ｌ１ｂとが含まれているため、第１画像データには、第１反射光Ｌ１ａに基づいて生成された第１画像４０に対応する画像データと、第２反射光Ｌ１ｂに基づいて生成された第２画像４１に対応する画像データとが含まれる。
【００３５】
また、図４（ｃ）は第２ＣＣＤラインセンサ２３ｂにより取得された第２光路Ｌ２の反射光に基づいて、ＡＦＥ２２，Ａ／Ｄ変換器２１及び画像処理部２０によってそれぞれ処理が行なわれて生成された第２画像データを模式的に示している。第２ＣＣＤラインセンサ２３ｂが取得する第２光路Ｌ２の反射光にも、同様に、原稿３２ａの表面からの第１反射光Ｌ２ａと裏面からの第２反射光Ｌ２ｂとが含まれているため、第２画像データには、第１反射光Ｌ２ａに基づいて生成された第１画像４０に対応する画像データと、第２反射光Ｌ２ｂに基づいて生成された第２画像４１に対応する画像データとが含まれる。
【００３６】
ここで、図３（ｂ）に示すように、原稿３２ａは厚みを有しているため、原稿３２ａの裏面の第２画像４１は、表面の第１画像４０から厚みの分だけ離れた位置で読み取られる。また、光源３３からの入射光は原稿３２ａに対して入射角を有しているため、原稿３２ａの表面からの第１反射光Ｌ１ａ，Ｌ２ａと、裏面からの第２反射光Ｌ１ｂ，Ｌ２ｂとの間において、原稿３２ａの厚みに応じた分のずれが生じる。具体的には、図４（ｂ）に示す第１画像データにおいて、原稿３２ａの裏面の第２画像４１に対応する画像データが、表面の第１画像４０に対応する画像データに対して副走査方向ｙに下側にずれた画像として読み取られる。
【００３７】
一方、図４（ｃ）に示す第２画像データにおいては、原稿３２ａの裏面の第２画像４１に対応する画像データが、表面の第１画像４０に対応する画像データに対して副走査方向ｙに上側にずれた画像として読み取られる。従って、原稿３２ａの裏面の第２画像４０に対応する画像データは、第１画像データと第２画像データとの間において、図４（ｄ）に示すように記録用紙に対して副走査方向ｙに大幅にずれて読み取られる。
【００３８】
このような第１画像データと第２画像データとの間における第２画像４１に対応する画像データのずれは、原稿３２ａの厚み及び光源３３の原稿３２ａへの入射光の入射角の相違に基づいて発生する。従って、第１画像データ及び第２画像データにおいてずれている領域は、原稿３２ａの裏面に形成されている第２画像４１に基づく第２反射光Ｌ１ｂ，Ｌ２ｂから生成された画像データであり、それ以外の領域は原稿３２ａの表面に形成されている第１画像４０に基づく第１反射光Ｌ１ａ，Ｌ２ａから生成された画像データであるとすることができる。
【００３９】
従って、読取部２の画像処理部２０は、上述したように２つの第１ＣＣＤラインセンサ２３ａ及び第２ＣＣＤラインセンサ２３ｂがそれぞれ取得した原稿３２ａからの第１光路Ｌ１の反射光及び第２光路Ｌ２の反射光からそれぞれ生成した第１画像データ及び第２画像データ間において、図４（ｄ）に示すように副走査方向ｙにずれている領域は、原稿３２ａの裏面に形成されている第２画像４１に対応する画像データであると判断することにより、ずれていない領域に基づいて原稿３２ａの表面に形成されている第１画像４０に対応する画像データを生成することができる。
【００４０】
なお、原稿３２ａの表裏面において第１画像４０及び第２画像４１の形成位置が重なっている領域については、画像処理部２０は、取得する第１画像データ及び第２画像データにおける各画素の濃度情報に基づいて、表裏面のそれぞれの画像であるか否かを判別することができる。
【００４１】
また、画像処理部２０は、第１画像データおよび第２画像データのそれぞれから第１画像４０に対応する画像データを取り除いた残りの画像データ、具体的には図４（ｄ）に示すように副走査方向ｙにずれた２つの画像データに基づいて、原稿３２ａの裏面に形成されている第２画像４１に対応する画像データを生成する。
【００４２】
なお、第２画像４１は、原稿３２ａの裏面側に形成されているため、画像処理部２０は、原稿３２ａの裏面に対応する画像データを生成した場合、生成した画像データに所定の色補正処理等を行なうことにより、高画質の画像形成を実現することができる。
【００４３】
図５は本発明に係る読取部２の内部構成における変形例を示す内部構成図である。図５に示す読取部２は、図３に示す読取部２と同様に、筺体３１の内部に、光源３３、第１ミラー３４及び第３ミラー３７を夫々所定の位置で長手方向を主走査方向ｘに平行に配置してある。なお、第３ミラー３７は、図５においても左側の端部に配置してある。また、筺体３１の内部に、原稿３２ａからの第２光路Ｌ２の反射光を反射させる第２ミラー３５と、第２ミラー３５によって反射された第２光路Ｌ２の反射光を更に反射させる第４ミラー３８とを夫々所定の位置で長手方向を主走査方向ｘに平行に配置してある。なお、第４ミラー３８は、第３ミラー３７とは反対側の右側の端部に配置してあり、第２ミラー３５は、原稿３２ａからの第２光路Ｌ２の反射光を右側へ反射させる位置に配置してある。
【００４４】
光源３３、第１ミラー３４及び第２ミラー３５は、副走査方向ｙに、プラテンガラス３２の一端部をホームポジションとして、このホームポジションから他端部までの移動が可能なキャリッジ３６に搭載されている。
【００４５】
筺体３１の内部には、更に、第１ミラー３４及び第３ミラー３７により反射された原稿３２ａからの第１光路Ｌ１の反射光を集光する第１集光レンズ２４ａと、第１集光レンズ２４ａを通して入射される反射光を取得する第１ＣＣＤラインセンサ２３ａとを、例えば右側の端部に備えている。また、筺体３１の内部には、第２ミラー３５及び第４ミラー３８により反射された原稿３２ａからの第２光路Ｌ２の反射光を集光する第２集光レンズ２４ｂと、第２集光レンズ２４ｂを通して入射される反射光を取得する第２ＣＣＤラインセンサ２３ｂとを、例えば左側の端部に備えている。
【００４６】
このような構成により、読取部２は、主走査方向ｘを長手方向とした第１ＣＣＤラインセンサ２３ａ及び第２ＣＣＤラインセンサ２３ｂにより１ラインずつ原稿画像を読み取り、キャリッジ３６を副走査方向ｙに移動させることにより原稿３２ａ全体を読み取ることができる。また、このような構成の読取部２によっても、画像処理部２０は、第１ＣＣＤラインセンサ２３ａが取得する反射光から図４（ｂ）で示す第１画像データを生成することができ、第２ＣＣＤラインセンサ２３ｂが取得する反射光から図４（ｃ）で示す第２画像データを生成することができる。
【００４７】
従って、画像処理部２０は、第１ＣＣＤラインセンサ２３ａ及び第２ＣＣＤラインセンサ２３ｂのそれぞれが取得する反射光から生成する第１画像データ及び第２画像データに基づいて、原稿３２ａの表裏面のそれぞれに形成されている第１画像４０及び第２画像４１に応じた画像データをそれぞれ生成することができる。
【００４８】
上述したように、本実施の形態の読取部２では、原稿３２ａの両面の読取処理を行なう際に、原稿３２ａを裏返しする機構が必要なく、また、読取部２を原稿３２ａの一方の面側に配置させることができるため、従来のＡＤＦ機構等の読取装置と比較して製造コストの削減及びメンテナンスの処理負担の軽減を図ることができる。また、本発明は、読み取った画像データの濃度情報のみに基づいて、原稿３２ａの表裏面の形成画像を判別するのではないため、表裏面ともに多値データまたはカラー画像データであっても、高精度の両面読取が可能である。
【００４９】
本発明の画像読取装置では、上述したように、両面印刷を行なう場合に原稿３２ａの両面の画像を読み取ることができると共に、裏面に不要な画像が形成された原稿を読み取って取得した画像データから、前記不要な画像を消去する場合にも利用することができる。また、上述した例では、図３（ｂ）に示すように、原稿３２ａに垂直な直線に対して対称に入射される入射光による原稿３２ａからの第１光路Ｌ１の反射角と第２光路Ｌ２の反射角とが同程度となるように、光源３３，第１ミラー３４，第２ミラー３５及び第３ミラー３７を適宜の位置に配置してあるが、それぞれの反射光における反射角が異なればよく、図３（ｂ）に示すように、原稿３２ａに垂直な直線に対して対称な方向から照射する必要はない。
【００５０】
上述した例では、画像処理部２０は、生成した第１画像データと第２画像データとにおいて、原稿３２ａの表面の形成画像である第１画像４０に対応する画像データを基準として、第２画像４１に対応する画像データがずれて読み取られることに基づいて、原稿３２ａの表裏面それぞれの形成画像４０，４１に対応する画像データを生成する例を説明したが、原稿３２ａの裏面の形成画像である第２画像４１を基準として、第１画像データと第２画像データとの間における第１画像４０に対応する画像データのずれに基づいて、原稿３２ａの表裏面それぞれの形成画像４０，４１に対応する画像データを生成することもできる。
【００５１】
上述した実施の形態では、複合機１がＣＣＤラインセンサ２３によって原稿３２ａからの反射光を取得する構成を有する例を説明したが、密着型の読取センサ（ＣＩＳ）によって原稿３２ａからの反射光を取得する構成としてもよい。また、上述した例では、画像読取装置として複合機を用いた例を説明したが、原稿から画像データを読み取る処理を実行する全ての画像読取装置に本発明を適用できることは言うまでもない。
【図面の簡単な説明】
【００５２】
【図１】本発明に係る画像読取装置を備える複合機の構成例を示すブロック図である。
【図２】本発明に係る読取部を示す外観斜視図である。
【図３】本発明に係る読取部の内部構成図である。
【図４】本発明に係る読取部が読み取る画像データを説明するための図である。
【図５】本発明に係る読取部の内部構成における変形例を示す内部構成図である。
【符号の説明】
【００５３】
１  複合機
２  読取部（画像読取装置）
２０  画像処理部（生成手段）
２３ａ  第１ＣＣＤラインセンサ（取得手段）
２３ｂ  第２ＣＣＤラインセンサ（取得手段）
３３  光源
【図１】
2005278064.tif 000003
【図２】
2005278064.tif 000004
【図３】
2005278064.tif 000005
【図４】
2005278064.tif 000006
【図５】
2005278064.tif 000007